(57)【要約】      （修正有）【課題】乾いた髪は勿論、洗髪後の濡れてもつれた髪であっても毛流を整えることができ、スタイリングに際し毛髪にテンションをかけることができ、ヘアードライヤーとの併用（ブロー）によって効果的にカールをかけたり、くせ毛を伸ばしたりでき、多元素鉱物ミネラルパウダーから放射される微弱エネルギーにより、静電気によるまとわり付を抑えて毛流を整えることができ、毛髪をケアしながらスタイリングすることができ、頭皮の血行を増進させて効果的なケアができるヘアーブラシを提供する。【解決手段】柄の先端部に連設したブラシ台座２の表面に多数の毛束３が立設されたヘアーブラシで、毛束は合成樹脂製の単ピン毛４と、単ピン毛４よりも細く毛足が短い細短毛５を束にした細短毛群５ａで形成され、前記単ピン毛４が多元素鉱物を粉砕して形成した多元素鉱物ミネラルパウダーを含有している。【選択図】図２
0003180344.tif 000002
【実用新案登録請求の範囲】
【請求項１】
柄（１）の先端部に連設したブラシ台座（２）の表面に多数の毛束（３）が立設されているヘアーブラシであって、
前記毛束（３）は、合成樹脂製の単ピン毛（４）と、この単ピン毛（４）よりも細く毛足が短い細短毛（５）を束にした細短毛群（５ａ）で形成され、
かつ前記単ピン毛（４）が多元素鉱物を粉砕して形成した多元素鉱物ミネラルパウダーを含有していることを特徴とするヘアーブラシ。
【請求項２】
請求項１記載のヘアーブラシにおいて、前記単ピン毛（４）が多元素鉱物ミネラルパウダーに加えて、遠赤外線放射材料を粉砕して形成した遠赤外線放射パウダーを含有しているヘアーブラシ。
【請求項３】
請求項１又は２記載のヘアーブラシにおいて、前記細短毛（５）が猪毛又は豚毛又は合成樹脂毛又はその他の獣毛や混合獣毛であるヘアーブラシ。
【考案の詳細な説明】
【技術分野】
【０００１】
本考案は、髪を梳いたりスタイリングしたりする際に使用するヘアーブラシの改良技術に関する。
【背景技術】
【０００２】
従来、柄の先端部に連設したブラシ台座の表面に多数の毛束が立設されているヘアーブラシにおいて、前記毛束が合成樹脂製のピン毛と獣毛とを混合させて形成したメイソンピアソン社製のミックスブラシ（非特許文献１参照）、また、毛足が長い長毛と毛足が短い短毛を組み合わせて形成したもの（特許文献１参照）が知られている。
【０００３】
また、従来、ブラシ毛に多元素鉱物を粉砕して形成した多元素鉱物ミネラルパウダーを含有させたヘアーブラシが知られている（特許文献２参照）。
【０００４】
しかしながら、毛束が、合成樹脂製の単ピン毛と、この単ピン毛よりも細く毛足が短い細短毛を束にした細短毛群で形成されたヘアーブラシであって、前記単ピン毛に多元素鉱物ミネラルパウダーを含有させたものはない。
【先行技術文献】
【特許文献】
【０００５】
【特許文献１】登録実用新案第３１０６１４４号公報
【特許文献２】登録実用新案第３０９４４９８号公報
【非特許文献】
【０００６】
【非特許文献１】ｈｔｔｐ：／／ｗｗｗ．ｍａｓｏｎｐｅａｒｓｏｎ．ｊｐ
【考案の概要】
【考案が解決しようとする課題】
【０００７】
本考案は、乾いた髪は勿論、洗髪後の濡れてもつれた髪であっても梳きほぐしながら毛流を整えることができ、また、スタイリングに際し毛髪にテンションをかけることができ、ヘアードライヤーとの併用（ブロー）によって効果的にカールをかけたり、くせ毛を伸ばしたりすることができるようにする。
【０００８】
また、多元素鉱物ミネラルパウダーから放射される微弱エネルギー及び／又は遠赤外線放射パウダーから放射される遠赤外線により、静電気によるまとわり付を抑えて毛流を整えることができ、かつ毛髪をケアしながらスタイリングすることができ、また、頭皮の血行を増進させて効果的なケアができるようにしたヘアーブラシを提供することを課題としている。
【課題を解決するための手段】
【０００９】
上記の課題を解決するために、本考案のヘアーブラシ（請求項１）は、
柄（１）の先端部に連設したブラシ台座（２）の表面に多数の毛束（３）が立設されているヘアーブラシであって、
前記毛束（３）は合成樹脂製の単ピン毛（４）と、この単ピン毛（４）よりも細く毛足が短い細短毛（５）を束にした細短毛群（５ａ）で形成され、
かつ前記単ピン毛（４）が多元素鉱物を粉砕して形成した多元素鉱物ミネラルパウダーを含有している構成とした。
【００１０】
また、本考案のヘアーブラシ（請求項２）は、
請求項１記載のヘアーブラシにおいて、前記単ピン毛（４）が多元素鉱物ミネラルパウダーに加えて、遠赤外線放射材料を粉砕して形成した遠赤外線放射パウダーを含有している構成とした。
【００１１】
また、本考案のヘアーブラシ（請求項３）は、
請求項１又は２記載のヘアーブラシにおいて、前記細短毛が（５）が猪毛又は豚毛又は合成樹脂毛又はその他の獣毛や混合獣毛である構成とした。
【考案の効果】
【００１２】
本考案（請求項１）のヘアーブラシは、毛束が合成樹脂製の単ピン毛と、この単ピン毛よりも細く毛足が短い細短毛を束にした細短毛群で形成されている。
即ち、各毛束は細短毛群の先から単ピン毛の先側が突き出た状態に形成されているため、毛髪に対する抵抗が少なく、乾いた髪であっても洗髪後の濡れてもつれた髪であっても梳きほぐしながら毛流を整えることができる。
また、細短毛群の高さが単ピン毛の高さよりも低く単ピン毛の根元側部分に植毛された状態になるため、スタイリングに際し細短毛群により毛髪を確実に絡み取って容易に毛髪にテンションをかけることができる。
このように、本考案のヘアーブラシは、毛流を整える梳き機能と、スタイリング時のテンション機能を併せ持つものである。
【００１３】
また、多元素鉱物ミネラルパウダーから放射される微弱エネルギーにより毛髪をケアしながら毛流を整えたり、スタイリングしたりすることができるし、頭皮の血行を増進させて発毛促進や効果的なスキャルプケアができる。
また、多元素鉱物ミネラルパウダーの作用によって静電気の発生が抑えられ、静電気によるまとわり付きをなくして容易に毛流を整えることができる。
【００１４】
しかも多元素鉱物ミネラルパウダーから発生するマイナスイオンによってブラッシングするだけで髪や頭皮の血行を良好にでき、また、マイナスイオンによって毛髪の水分にクラスター現象（水の分子集団を小さくする力）が生じ、毛髪のツヤ感と潤い感を高めサラサラでまとまりのあるデザインに仕上げることができる。
また、マイナスイオンが毛髪のキューティクル（ガラス状の繊維）に作用し、常にツヤのよい状態に保つことができ、特に、ダメージヘアや細くてまとまりづらい毛髪に効果的である。
【００１５】
本考案（請求項２）のヘアーブラシは、単ピン毛に多元素鉱物ミネラルパウダーに加えて遠赤外線放射パウダーを含有させていることに特徴がある。
【００１６】
このように、多元素鉱物ミネラルパウダーに加えて、遠赤外線放射パウダーを含有させると、この遠赤外線放射パウダーから遠赤外線が放射され、毛髪や頭皮を内部から温めることができる。
これにより、毛髪を効果的にケアすることができるし、頭皮の血行を良好にすることができる。
【図面の簡単な説明】
【００１７】
【図１】本考案の実施例に係るヘアーブラシを示す斜視図。
【図２】本考案の実施例に係るヘアーブラシを示す断面図。
【考案を実施するための形態】
【００１８】
本考案で使用する多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００１９】
多元素鉱物ミネラルパウダーは、多元素鉱物をボールミル等で粉砕してパウダーに形成したもので、この場合の粉砕数値は１〜３ミクロンが望ましいが数値は変わってもよい。
多元素鉱物ミネラルパウダーは単独或いは組み合わせて使用することができるが、２種類以上を適宜配合して使用することが好ましい。
この多元素鉱物ミネラルパウダーはそのまま使用してもよいし、これを水と混合し、加熱又は加圧した後、上澄み液を真空凍結乾燥や噴射乾燥により粉末にしたものを使用してもよい。
【００２０】
尚、真珠岩は下記の表１で示す成分からなるものである。
【００２１】
【表１】
0003180344.tif 000003
【００２２】
多元素鉱物ミネラルパウダーから放射される４〜１４μｍの波長の電磁波（微弱エネルギ−）には、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００２３】
そこで、この電磁波（微弱エネルギー）を毛髪や頭皮に当てることにより、毛髪や頭皮中の水分をミネラル化して毛髪や頭皮の中の蛋白質を活性化し、常に健康毛でツヤのある毛髪とすることができる。
【００２４】
また、遠赤外線放射パウダーは、遠赤外線放射材料としてのアルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたもので、これらの遠赤外線放射パウダーを毛髪や頭皮の吸収に適した波長の遠赤外線を放射するようにブレンドして使用するのが好ましい。
【００２５】
又、本考案でいう「含有」には、多元素鉱物ミネラルパウダーや遠赤外線放射パウダーを単ピン毛の合成樹脂素材自体に練り込んで成型したもの、又、多元素鉱物ミネラルパウダーや遠赤外線放射パウダーをコーティング剤に混合させて単ピン毛の表面に塗布することでコーティング層（例えば、セラミックコーティング層、メッキ層、フッ素コーティング層）を形成させたものを含む。
【００２６】
なお、細短毛群を構成する細短毛についても多元素鉱物ミネラルパウダーや遠赤外線放射パウダーを含有させてもよい。
【実施例】
【００２７】
実施例のヘアーブラシは、図１で示すように、合成樹脂製（例えば、ＡＢＳ樹脂等）の柄１の先端部に一体に連設したブラシ台座２の表面に、多数の毛束３を毛穴２１に植設して立設させたもので、実施例ではブラシ長手幅方向に１列２０〜２１束で並べてブラシ長手幅方向に９列に並べ、かつ隣同士の列の毛束３，３を千鳥状に配置させるようになっている。
尚、柄１やブラシ台座２材質は木材等を使用できるし、毛束３の配置についても実施例に限定されるものではない。
【００２８】
前記各毛束３は、１本の合成樹脂製の単ピン毛４と、この単ピン毛４よりも細く毛足が短い細短毛５を束にした細短毛群５ａで形成されている。
【００２９】
前記単ピン毛４は、シリコンゴムやナイロン、その他の合成樹脂により適度の腰の強さと柔軟性を持つように形成され、この先端は球体形に形成され、これによりブラッシング時やスタイリング時の頭皮への当りを緩和させると共に、毛髪の脱落を防止できる。
【００３０】
前記細短毛群５ａを構成する細短毛５としては、猪毛又は豚毛又は合成樹脂毛又はその他の獣毛や混合獣毛を用いることができる。
実施例では、豚毛を３０本程度使用して細短毛群５ａを構成させ、単ピン毛４の高さのほぼ半分程度の高さで植設させている。
尚、細短毛５の高さは単ピン毛４の高さの１／３〜２／３程度が好ましく、そのほか細短毛５の本数、毛径等は適宜に決定できる。
【００３１】
そして、本実施例では、前記単ピン毛４に、多元素鉱物ミネラルパウダーと、遠赤外線放射パウダーの混合パウダーを含有させている。
この場合、単ピン毛４には、その素材である合成樹脂に混合パウダーを混合させて成型することで、この単ピン毛４自体に混合パウダーを含有させている。
【００３２】
また、単ピン毛４の表面にコーティング層を形成させることで含有させることもできる。
例えば、セラミックコーティング層は、混合パウダーをコーティング剤である耐熱性フォーマイカに加えて塗料状にしたものを単ピン毛４に塗布し、これを加熱炉に通してコーティング剤を飛ばして（焼き付けて）形成している。
耐熱性フォーマイカに対する混合パウダーの混合割合は、容積比で３〜１５％が望ましいが数値は変わってもよい。
【００３３】
したがって、本実施例のヘアーブラシでは、各毛束３は細短毛群５ａの先から単ピン毛４の先側が突き出た状態に形成されているため、毛髪に対する抵抗が少なく、乾いた髪であっても洗髪後の濡れてもつれた髪であっても梳きほぐしながら毛流を整えることができる。
また、スタイリングに際し細短毛群５ａにより毛髪を確実に絡み取って容易に毛髪にテンションをかけることができことができる。
【００３４】
また、多元素鉱物ミネラルパウダーから放射される微弱エネルギーや遠赤外線放射パウダーから放射される遠赤外線により毛髪をケアしながら髪梳きやスタイリングすることができ、また、頭皮の血行を増進させて効果的なケアができる。
また、多元素鉱物ミネラルパウダーの作用によって静電気の発生が抑えられ、静電気によるまとわり付きをなくして容易に毛流を整えることができる。
【００３５】
以上、本考案の実施例を図面に基づいて説明してきたが、具体的な構成はこの実施例に限定されるものではなく、本考案の要旨を逸脱しない範囲における設計変更等があっても本考案に含まれる。
【００３６】
なお、本考案のヘアーブラシはヘアードライヤーを併用して使用するのが好ましく、ヘアードライヤーによる熱を毛髪に与えながら施術することで、効果的にヘアーブラシで毛髪をブラッシングしたり、カールをつけたり、くせ毛を伸ばしたりすることができる。
ヘアードライヤーとしては本考案者が開発したマイナスイオンを温風又は冷風と共に噴出するイオンドライヤーを使用することが好ましい。
【符号の説明】
【００３７】
１    柄
２    ブラシ台座
３    毛束
４    単ピン毛
５    細短毛
５ａ  細短毛群
【図１】
0003180344.tif 000004
【図２】
0003180344.tif 000005